(57)【要約】  機器の小型化の阻害を抑制しつつ、カバーの取り付け及び取り外しを簡単に行え得る、カバー構造、及びそれを用いた医療機器を提供する。  医療機器１は、筐体２と、その一方向側の部分を覆うカバー部材１１と、これらの間に挟みこまれるシート部材１８とを備える。カバー部材１１は、その外縁に、鉤状の部分１３を有する鉤部１２と、突起部１４とを備える。筐体２は、鉤部１２が引っ掛かり可能に形成されたラッチ部５と、突起部１４を嵌め込み可能な嵌め込み部６とを備える。シート部材１８は、それを、カバー部材１１に対して位置決めする位置決め部１９を備えている。カバー部材１１は、光透過性を有しているのが好ましい。また、筐体２は、カバー部材１１によって覆われる部分に、カバー部材１１の外形に合わせて形成された凹部３を備えるのが好ましい。
2009125538.tif 000002
【特許請求の範囲】
【請求項１】
生体の状態を測定するための医療機器であって、
筐体と、前記筐体の一方向側の部分を覆うカバー部材と、これらの間に挟みこまれるシート部材とを備え、
前記カバー部材は、その外縁に、鉤状の部分を有する鉤部と、突起部とを備え、
前記筐体は、前記鉤部が引っ掛かり可能に形成されたラッチ部と、前記突起部を嵌め込み可能な嵌め込み部とを備え、
前記シート部材は、それを、前記カバー部材に対して位置決めする位置決め部を備えている、ことを特徴とする医療機器。
【請求項２】
前記筐体が、前記カバー部材によって覆われる部分に、前記カバー部材の外形に合わせて形成された凹部を備え、
前記ラッチ部が、前記凹部の側壁の前記鉤部に対応する位置に設けられ、
前記嵌め込み部が、前記側壁の前記突起部に対応する位置に設けられている、請求項１に記載の医療機器。
【請求項３】
前記鉤部は、前記カバー部材を前記筐体に配置したときに、前記鉤状の部分の先端が筐体側の反対側を向くように形成され、
前記凹部は、前記カバー部材の前記鉤部が押圧されたときに、前記鉤部の前記凹部の底面側への移動を許容するように、形成されている、請求項２に記載の医療機器。
【請求項４】
前記カバー部材が、板状を呈し、且つ、対向する二つの側面を有し、
前記二つの側面それぞれには、前記突起部が設けられ、
前記鉤部は、前記二つの側面に平行であって、且つ、前記突起部の間を通る仮想の軸上に配置され、
前記凹部の側壁は、
前記カバー部材が取り付けられたときに前記仮想の軸上に位置し、且つ、前記鉤部に対応する位置に対向している部分において、
高さが他の部分の高さよりも低くなるように形成されている、請求項３に記載の医療機器。
【請求項５】
前記ラッチ部が、前記凹部の側壁の前記鉤部に対応する位置に配置された穴と、前記穴の内部に設けられた凸部とを備え、
前記穴は、前記鉤状の部分を挿入可能に形成され、
前記凸部は、前記鉤状の部分に対して引っ掛かり可能に形成されている、
請求項２から４のいずれかに記載の医療機器。
【請求項６】
前記ラッチ部が、前記凹部の側壁の前記鉤部に対応する位置に配置された穴と、前記穴の内部に設けられた一対の凸部とを備え、
前記穴は、前記鉤状の部分を挿入可能に形成され、
前記一対の凸部は、これらの間に前記鉤状の部分が位置し、いずれか一方又は両方が前記鉤状の部分に引っ掛かるように形成されている、
請求項２から４のいずれかに記載の医療機器。
【請求項７】
前記嵌め込み部が、前記側壁の前記突起部に対応する位置に、第１の溝と第２の溝とを備え、
前記第１の溝は、前記凹部の開口から前記凹部の深さ方向に沿って形成され、
前記第２の溝は、前記第１の溝に交差するように形成されている、
請求項２〜６のいずれかに記載の医療機器。
【請求項８】
前記シート部材の位置決め部が、前記カバー部材の一部分に引っ掛かるように形成されている、請求項１〜７のいずれかに記載の医療機器。
【請求項９】
前記カバー部材が、光透過性を有している、
請求項１〜８のいずれかに記載の医療機器。
【請求項１０】
測定結果を表示する表示画面を更に備え、
前記表示画面は、前記凹部の底面に配置され、
前記シート部材は、前記表示画面を露出させる開口部を備えている、
請求項９に記載の医療機器。
【請求項１１】
基体と、前記基体の一方向側の部分を覆うカバー部材と、これらの間に挟みこまれるシート部材とを備え、
前記カバー部材は、その外縁に、鉤状の部分を有する鉤部と、突起部とを備え、
前記基体は、前記鉤部が引っ掛かり可能に形成されたラッチ部と、前記突起部を嵌め込み可能な嵌め込み部とを備え、
前記シート部材は、それを、前記カバー部材に対して位置決めする位置決め部を備えている、ことを特徴とするカバー構造。
【請求項１２】
前記基体が、前記カバー部材によって覆われる部分に、前記カバー部材の外形に合わせて形成された凹部を備え、
前記ラッチ部が、前記凹部の側壁の前記鉤部に対応する位置に設けられ、
前記嵌め込み部が、前記側壁の前記突起部に対応する位置に設けられている、請求項１１に記載のカバー構造。
【請求項１３】
前記鉤部は、前記カバー部材を前記基体に配置したときに、前記鉤状の部分の先端が基体側の反対側を向くように形成され、
前記凹部は、前記カバー部材の前記鉤部が押圧されたときに、前記鉤部の前記凹部の底面側への移動を許容するように、形成されている、請求項１２に記載のカバー構造。
【請求項１４】
前記カバー部材が、板状を呈し、且つ、対向する二つの側面を有し、
前記二つの側面それぞれには、前記突起部が設けられ、
前記鉤部は、前記二つの側面に平行であって、且つ、前記突起部の間を通る仮想の軸上に配置され、
前記凹部の側壁は、
前記カバー部材が取り付けられたときに前記仮想の軸上に位置し、且つ、前記鉤部に対応する位置に対向している部分において、
高さが他の部分の高さよりも低くなるように形成されている、請求項１３に記載のカバー構造。
【請求項１５】
前記ラッチ部が、前記凹部の側壁の前記鉤部に対応する位置に配置された穴と、前記穴の内部に設けられた凸部とを備え、
前記穴は、前記鉤状の部分を挿入可能に形成され、
前記凸部は、前記鉤状の部分に対して引っ掛かり可能に形成されている、
請求項１２から１４のいずれかに記載のカバー構造。
【請求項１６】
前記ラッチ部が、前記凹部の側壁の前記鉤部に対応する位置に配置された穴と、前記穴の内部に設けられた一対の凸部とを備え、
前記穴は、前記鉤状の部分を挿入可能に形成され、
前記一対の凸部は、これらの間に前記鉤状の部分が位置し、いずれか一方又は両方が前記鉤状の部分に引っ掛かるように形成されている、
請求項１２から１４のいずれかに記載のカバー構造。
【請求項１７】
前記嵌め込み部が、前記側壁の前記突起部に対応する位置に、第１の溝と第２の溝とを備え、
前記第１の溝は、前記凹部の開口から前記凹部の深さ方向に沿って形成され、
前記第２の溝は、前記第１の溝に交差するように形成されている、
請求項１２〜１６のいずれかに記載のカバー構造。
【請求項１８】
前記シート部材の位置決め部が、前記カバー部材の一部分に引っ掛かるように形成されている、請求項１１〜１７のいずれかに記載のカバー構造。
【請求項１９】
前記カバー部材が、光透過性を有している、
請求項１１〜１８のいずれかに記載のカバー構造。
【発明の詳細な説明】
【技術分野】
【０００１】
本発明は、医療機器、特には携帯型の医療機器に関する。
【背景技術】
【０００２】
近年、医療機器の小型化が促進され、例えば、血糖値計、血圧計、心拍計等の医療機器は、携帯が可能な程度にまで小型化されている。このような医療機器は、患者や医療関係者等によって持ち歩かれることも多く、その使用頻度は高いものとなっている。特に、血糖値計は、糖尿病患者にとって必須の医療機器であり、常に患者に持ち歩かれることから、非常にパーソナル性の高い医療機器となっている。【０００３】
また、このようなパーソナル性が高い機器を使用する使用者においては、機器の外観を自己の好みの外観にカスタマイズすることによって、自己の個性を主張したいという要望が存在する。このような要望を受け、近年、使用者が医療機器の外観を好みの外観にカスタマイズできるようにするカバーが提案されている（例えば、特許文献１及び特許文献２参照。）。【０００４】
具体的には、特許文献１及び特許文献２は、表面に模様や図案が印刷されたカバーを開示している。使用者は、好みのデザインが施されたカバーを利用することで、機器の外観をカスタマイズすることができる。また、この結果、使用者がその機種に飽きてしまうのを抑制できるので、使用者が同じ機種を長く使用する手助けとなる。更に、これにより、機器のライフサイクルの長期化が促され、環境負荷の縮小化も図られることとなる。【０００５】
また、カバーを利用した外観のカスタマイズは、携帯電話の分野において盛んに行われている。例えば、特許文献３は、携帯電話の筐体に取り付けられるカバーを開示している。このカバーは、模様や図案が印刷されていない透明のカバーであるが、携帯電話の筐体とカバーとの間には、模様、図案、又は写真が表示されたシートが挿入される。このため、シートだけを入れ替えることによって外観を簡単に変化させることができ、カスタマイズのバリエーションを容易に増やすことができる。また、特許文献３のカバーは、医療機器に適用することもできると考えられる。
【特許文献１】特開２００３−１０７０９２号公報
【特許文献２】特開２００４−３１３２６９号公報
【特許文献３】登録実用新案第３１２７６７４号公報
【発明の開示】
【発明が解決しようとする課題】
【０００６】
ところで、上述の特許文献１及び特許文献２に開示のカバーは、医療機器の前面だけでなく、側面も覆う必要があるため、非常に嵩張る構造となっている。よって、医療機器に特許文献１及び２に開示のカバーを取り付けた場合は、機器の小型化が阻害されるという問題が発生する。【０００７】
また、特許文献１及び２に開示のカバーによって外観を変える場合は、カバー自体を取り替える必要がある。よって、使用者が種々の外観を楽しみたい場合は、意匠の異なるカバーを複数個用意する必要がある。そして、上述した嵩張る構造により、管理スペースが多くいるという問題が発生する。【０００８】
一方、特許文献３に開示のカバーは、機器の側面を覆う必要が無く、嵩張らないので、このカバーを医療機器に適用した場合は、機器の小型化の阻害は回避されると考えられる。また、使用者における管理スペースの問題も解消できると考えられる。【０００９】
しかしながら、特許文献３に開示のカバーの筐体への取り付けは、ネジ止めによって行う必要がある。更に、ネジ止めを行う前に、予め、シートを所定の位置に配置しておく必要もある。このため、特許文献３に開示のカバーを用いた場合、使用者は、カバーの取り付け及び取り外しの度に、工具を用いて煩雑な作業を行う必要がある。なお、人の手で簡単に締め付けが可能なネジを用いれば、作業の煩雑さを軽減できると考えられるが、この場合は、ネジ頭が大きくなり、特許文献１及び２の場合と同様に、機器の小型化が阻害されてしまう。【００１０】
本発明の目的は、上記問題を解消し、機器の小型化の阻害を抑制しつつ、カバーの取り付け及び取り外しを簡単に行え得る、カバー構造、及びそれを用いた医療機器を提供することにある。
【課題を解決するための手段】
【００１１】
上記目的を達成するために本発明における医療機器は、生体の状態を測定するための医療機器であって、筐体と、前記筐体の一方向側の部分を覆うカバー部材と、これらの間に挟みこまれるシート部材とを備え、前記カバー部材は、その外縁に、鉤状の部分を有する鉤部と、突起部とを備え、前記筐体は、前記鉤部が引っ掛かり可能に形成されたラッチ部と、前記突起部を嵌め込み可能な嵌め込み部とを備え、前記シート部材は、それを、前記カバー部材に対して位置決めする位置決め部を備えている、ことを特徴とする。【００１２】
上記本発明における医療機器では、カバー部材は、筐体の前面及び側面を一度に覆う従来のカバーと異なり、嵩張らないものとなる。よって、本発明における医療機器によれば、機器の小型化の阻害は抑制される。更に、このため、使用者が多数のカバー部材を所有する場合であっても、使用者は、大きな管理スペースを用意する必要はなく、管理は容易である。また、カバー部材は、鉤部をラッチ部に引っ掛け、そして、突起部を嵌め込み部に嵌め込むだけで、取り付けられるので、本発明における医療機器において、カバー部材の取り付け及び取り外しは簡単である。【００１３】
上記本発明における医療機器は、前記筐体が、前記カバー部材によって覆われる部分に、前記カバー部材の外形に合わせて形成された凹部を備え、前記ラッチ部が、前記凹部の側壁の前記鉤部に対応する位置に設けられ、前記嵌め込み部が、前記側壁の前記突起部に対応する位置に設けられている態様であるのが好ましい。この態様によれば、カバー部材は筐体に設けられた凹部内側の空間に納められるため、機器の小型化の阻害がいっそう抑制される。【００１４】
上記態様においては、上記本発明における医療機器は、前記鉤部は、前記カバー部材を前記筐体に配置したときに、前記鉤状の部分の先端が筐体側の反対側を向くように形成され、前記凹部は、前記カバー部材の前記鉤部が押圧されたときに、前記鉤部の前記凹部の底面側への移動を許容するように、形成されている、のが好ましい。この場合は、カバー部材を外部から押圧することによって、鉤部とラッチ部との引っ掛かりを簡単に解消できる。よって、カバー部材の取り外しは、より一層容易なものとなる。【００１５】
また、上記態様においては、前記カバー部材が、板状を呈し、且つ、対向する二つの側面を有し、前記二つの側面それぞれには、前記突起部が設けられ、前記鉤部は、前記二つの側面に平行であって、且つ、前記突起部の間を通る仮想の軸上に配置され、前記凹部の側壁は、前記カバー部材が取り付けられたときに前記仮想の軸上に位置し、且つ、前記鉤部に対応する位置に対向している部分において、高さが他の部分の高さよりも低くなるように形成されているのが好ましい。この場合は、カバー部材の取り外しは、鉤部とラッチ部との接続を解除した後に、カバー部材を上述の仮想の軸に沿ってラッチ部から遠ざかる方向にスライドさせるだけで行うことができる。【００１６】
また、上記態様においては、上記本発明における医療機器は、前記ラッチ部が、前記凹部の側壁の前記鉤部に対応する位置に配置された穴と、前記穴の内部に設けられた凸部とを備え、前記穴は、前記鉤状の部分を挿入可能に形成され、前記凸部は、前記鉤状の部分に対して引っ掛かり可能に形成されている、のが好ましい。この場合は、ラッチ部が側壁の内部に納まるため、外部から観察したときに、カバー部材と筐体との間の隙間を小さくでき、両者の間に一体感を生じさせることができる。【００１７】
更に、上記態様においては、上記本発明における医療機器は、前記ラッチ部が、前記凹部の側壁の前記鉤部に対応する位置に配置された穴と、前記穴の内部に設けられた一対の凸部とを備え、前記穴は、前記鉤状の部分を挿入可能に形成され、前記一対の凸部は、これらの間に前記鉤状の部分が位置し、いずれか一方又は両方が前記鉤状の部分に引っ掛かるように形成されている、のも好ましい。【００１８】
また、上記態様においては、上記本発明における医療機器は、前記嵌め込み部が、前記側壁の前記突起部に対応する位置に、第１の溝と第２の溝とを備え、前記第１の溝は、前記凹部の開口から前記凹部の深さ方向に沿って形成され、前記第２の溝は、前記第１の溝に交差するように形成されている、のも好ましい。この場合は、カバー部材を上方から凹部の開口に重ね合わせ、そして、カバー部材をスライドさせるだけで、カバー部材の突起部を嵌め込み部に嵌め込むことができる。また、嵌め込みを解除する場合は、カバー部材をスライドさせるだけで良い。【００１９】
上記本発明における医療機器において、前記シート部材の位置決め部は、前記カバー部材の一部分に引っ掛かるように形成されているのが好ましい。この場合は、シート部材の位置決めを簡単に行うことができる。【００２０】
また、上記本発明における医療機器では、前記カバー部材は、光透過性を有するのが好ましい。この場合は、シート部材だけを交換することで外観の変更が可能になり、使用者が多くのカバー部材を用意する必要性は小さくなる。更に、この場合においては、上記本発明における医療機器は、測定結果を表示する表示画面を更に備え、前記表示画面は、前記凹部の底面に配置され、前記シート部材は、前記表示画面を露出させる開口部を備えている態様であるのが好ましい。上記態様によれば、カバー部材によって、表示画面を保護することができ、医療機器の耐久性の向上をも図ることができる。【００２１】
また、上記目的を達成するために本発明におけるカバー構造は、基体と、前記基体の一方向側の部分を覆うカバー部材と、これらの間に挟みこまれるシート部材とを備え、前記カバー部材は、その外縁に、鉤状の部分を有する鉤部と、突起部とを備え、前記基体は、前記鉤部が引っ掛かり可能に形成されたラッチ部と、前記突起部を嵌め込み可能な嵌め込み部とを備え、前記シート部材は、それを、前記カバー部材に対して位置決めする位置決め部を備えていることを特徴とする。【００２２】
本発明におけるカバー構造は、医療機器、更には、携帯電話、ＰＤＡ、電子辞書等の機器にも適用でき、その場合は、上述した本発明における医療機器の効果と同様の効果を得ることができる。また、本発明におけるカバー構造にも、上述した本発明における医療機器の好ましい態様と同様の態様を採用することができる。
【発明の効果】
【００２３】
以上のように、本発明におけるカバー構造及び医療機器によれば、機器の小型化の阻害を抑制しつつ、カバーの取り付け及び取り外しを簡単に行えるようにすることができる。
【図面の簡単な説明】
【００２４】
【図１】図１は、本発明の実施の形態における医療機器の主要な構成部品を示す分解斜視図である。
【図２】図２は、本発明の実施の形態における医療機器の外観を示す斜視図であり、図１に示した構成部品によって組み立てられた医療機器を示している。
【図３】図３（ａ）〜図３（ｃ）は、カバー部材及びシート部材の一部分を示す図である。図３（ａ）は、図１に示されたカバー部材の一部分を拡大して示す拡大斜視図である。また、図３（ｂ）は、図１に示されたシート部材の一部分を拡大して示す拡大斜視図であり、図３（ｃ）は、シート部材の他の例の一部分を拡大して示す拡大斜視図である。
【図４】図４は、図１に示された筐体の一部分を拡大して示す斜視図である。図４に示された筐体も、部分的に断面で示され、断面にはハッチングが施されている。
【図５】図５（ａ）〜図５（ｄ）は、図１〜図３に示したカバー部材及びシート部材の取り付け及び取り外しを説明する図である。図５（ａ）〜（ｃ）は一連の取り付け工程を示し、図５（ｄ）は取り外し工程を示している。
【図６】図６は、本実施の形態における鉤状の部分及びラッチ部の他の例を示す断面図である。図６に示された断面は、図３及び図４に示された断面に準じた切断線に沿って得られている。
【図７】図７（ａ）及び図７（ｂ）は、本実施の形態におけるカバー部材の鉤部及びシート部材の位置決め部の他の例を示す図である。図７（ａ）は鉤部を拡大して示す拡大斜視図であり、図７（ｂ）は位置決め部を拡大して示す拡大斜視図である。
【図８】図８（ａ）及び図８（ｂ）は、本実施の形態におけるカバー部材の鉤部及びシート部材の位置決め部の他の例を示す図である。図８（ａ）は鉤部を拡大して示す拡大斜視図であり、図８（ｂ）は位置決め部を拡大して示す拡大斜視図である。
【図９】図９（ａ）〜図９（ｃ）は、本実施の形態におけるカバー部材の鉤部及びシート部材の位置決め部の他の例を示す図である。図９（ａ）は鉤部を拡大して示す拡大斜視図、図９（ｂ）は鉤部の側面を拡大して示す拡大側面図、図９（ｃ）は位置決め部を拡大して示す拡大斜視図である。
【図１０】図１０（ａ）〜図１０（ｃ）は、本実施の形態におけるカバー部材の鉤部及びシート部材の位置決め部の他の例を示す図である。図１０（ａ）は鉤部を拡大して示す拡大斜視図、図１０（ｂ）は鉤部の側面を拡大して示す拡大側面図、図１０（ｃ）は位置決め部を拡大して示す拡大斜視図である。
【図１１】図１１（ａ）〜図１１（ｃ）は、本実施の形態におけるカバー部材の鉤部及びシート部材の位置決め部の他の例を示す図である。図１１（ａ）は鉤部を拡大して示す拡大斜視図、図１１（ｂ）は鉤部の側面を拡大して示す拡大側面図、図１１（ｃ）は位置決め部を拡大して示す拡大斜視図である。
【符号の説明】
【００２５】
１  医療機器
２  筐体
３  凹部
４ａ、４ｂ、４ｃ、４ｄ  凹部の側壁
５  ラッチ部
５ａ  孔
５ｂ  凸部
５ｃ  凸部
６  嵌め込み部
６ａ  縦溝
６ｂ  横溝
７  凹部の底面
７ａ  傾斜面
８  凹部の底面に設けられた開口部
９  操作ボタン
１０  表示画面
１１  カバー部材
１２  鉤部
１３  鉤状の部分
１３ａ  鉤状の部分の先端
１３ｂ  鉤状の部分の突起部
１４  突起
１５ａ、１５ｂ、１５ｃ、１５ｄ  カバー部材の側面
１６  仮想の軸
１７  鉤部に形成された面
１８  シート部材
１９  リング状の部分を有する位置決め部
２０  シート部材に設けられた開口部
２１  シート部材に表示された模様
２２  隙間
２３  センサ
２４  Ｕ形状の部分を有する位置決め部
２５  Ｔ形状の部分を有する位置決め部
２５ａ、２５ｂ  Ｔ形状の部分の先端部
２５ｃ  一対の先端部の間の部分
２６  貫通孔
２７、２８  貫通孔を備えた位置決め部
２７ａ、２８ａ、２８ｂ、２９  位置決め部を構成する貫通孔
３０  隙間
３１ａ、３１ｂ  一対の鉤状の部分
３２  ブリッジ
３３  ブリッジの上面に形成された突起
３４  鉤状の部分
３５、３６  鉤状の部分の下面に形成された円柱状の突起
３７  ブリッジの下面に形成された突起
【発明を実施するための最良の形態】
【００２６】
（実施の形態）
以下、本発明の実施の形態におけるカバー構造及び医療機器について、図１〜図５を参照しながら説明する。最初に、本実施の形態におけるカバー構造及び医療機器の構成を図１〜図４を用いて説明する。なお、本実施の形態におけるカバー構造は、本実施の形態における医療機器と一体不可分であるため、以下の説明は、本実施の形態における医療機器を中心に説明する。【００２７】
図１は、本発明の実施の形態における医療機器の主要な構成部品を示す分解斜視図である。図２は、本発明の実施の形態における医療機器の外観を示す斜視図であり、図１に示した構成部品によって組み立てられた医療機器を示している。【００２８】
図３（ａ）〜図３（ｃ）は、カバー部材及びシート部材の一部分を示す図である。このうち、図３（ａ）は、図１に示されたカバー部材の一部分を拡大して示す拡大斜視図、図３（ｂ）は、図１に示されたシート部材の一部分を拡大して示す拡大斜視図である。図３（ｃ）は、シート部材の他の例の一部分を拡大して示す拡大斜視図である。また、図３（ａ）において、カバー部材の一部は断面で示され、断面にはハッチングが施されている。図４は、図１に示された筐体の一部分を拡大して示す斜視図である。図４に示された筐体も、部分的に断面で示され、断面にはハッチングが施されている。【００２９】
図１及び図２に示す医療機器１は、生体の状態を測定するための医療機器、例えば、血糖値計、血圧計、乳酸値計、ケトン体測定装置、体温計、尿試験紙計、脂質測定装置などである。医療機器１は筐体２を備え、その内部には、用途に応じた測定装置（図１において図示せず）が収納されている。また、医療機器１は、手の平サイズで形成されており、患者、医師、看護師等の使用者によって携帯されることを前提としている。【００３０】
本実施の形態では、医療機器１は、携帯型の血糖値計であり、患者の血液の血糖値を測定する。また、本実施の形態では、患者の血液は、短冊状のセンサ２３によって提供される。センサ２３は、筐体２に設けられたセンサ挿入口（図示せず）に挿入される。センサ２３は内部に試薬を有し、血液は予めセンサ２３内部で試薬と反応する。筐体２内部の測定装置は、比色方式又は電気化学方式によって、試薬と反応した血液から血糖値を測定する機能を備えている。測定装置による測定は、センサ２３がセンサ挿入口に挿入されると直ちに開始される。測定結果は、筐体２に設けられた表示画面１０に表示される。【００３１】
図１及び図２に示すように、本実施の形態における医療機器１は、上述の筐体２に加え、カバー部材１１と、シート部材１８とを備えている。また、本実施の形態におけるカバー構造も、筐体２、カバー部材１１及びシート部材１８を備えている。カバー構造においては、筐体２は、カバー構造のベースとなる基体として機能する。【００３２】
シート部材１８は、筐体２とカバー部材１１との間に挟みこまれる。本実施の形態では、カバー部材１１は、光透過性を有しているため、カバー部材１１を取り付けたとき、使用者側ではシート部材１８が透けて見える。なお、図２において、カバー部材１１の光透過性によって透けて見える物体は、細線で示されている。【００３３】
図１に示すように、カバー部材１１は、筐体２の一方向側の部分を覆うように形成されている。また、カバー部材１１は、その外縁に、鉤状の部分１３を有する鉤部１２と、突起部１４とを備えている。ここで、被覆対象となる「一方向側の部分」とは、観察者が、筐体２を任意の観察方向から観察したときに、観察される部分をいい、言い換えると、筐体２の観察者側の一部である。【００３４】
よって、「一方向側の部分」には、観察方向を変えなければ観察できない部分は含まれず、カバー部材１１は、筐体の上面及び全側面を一度に覆う従来のカバー（特許文献１及び２）とは異なっている。また、「一方向側の部分」は、観察される部分の全部であっても良いし、一部のみであっても良い。【００３５】
本実施の形態では、表示画面１０の法線に沿ってその上方から筐体２を観察したときに観察される部分、即ち、筐体２の表示画面側の部分が、被覆対象となる「一方向側の部分」である。具体的には、カバー部材１１によって覆われる「一方向側の部分」は、筐体２の表示画面側に設けられた凹部３の底面７である。また、本実施の形態では、カバー部材１１は、板状を呈し、且つ、対向する二つの側面１５ａ及び１５ｂを有している。側面１５ａ及び１５ｂのそれぞれに、突起部１４が設けられている。【００３６】
鉤部１２は、二つの側面１５ａ及び１５ｂに平行であって、且つ、一方の突起部１４と他方の突起部１４との間を通る仮想の軸１６上に配置されている。具体的には、図１及び３に示すように、鉤部１２は、側面１５ａ及び１５ｂに隣接する側面１５ｃから突き出すようにして、板状の部分と一体的に形成されている。そして、突き出した部分の先端に、鉤状の部分１３が形成されている。また、本明細書において「仮想の軸上に配置されている（位置している）」とは、カバー部材１１をそのいずれかの主面側から見たときに、対象物（又は対象部分）と仮想の軸とが重なっている場合をいう。【００３７】
また、本実施の形態では、図１及び図３（ａ）に示すように、鉤部１２は、カバー部材１１を筐体２に配置したときに、鉤状の部分１３の先端が筐体２側の反対側（図中上方）を向くように形成されている。これは、後述の図５を用いて示すように、使用者が、カバー部材１１の鉤部１２（又は鉤部１２側の部分）を外部から押圧したときに、これによって、鉤部１２と後述のラッチ部５（図４参照）との接続が解除されるようにするためである。【００３８】
図１及び図４に示すように、筐体２は、鉤部１２に引っ掛かり可能なラッチ部５と、突起部１４を嵌め込み可能な嵌め込み部６とを備えている。本実施の形態では、筐体２は、カバー部材１１によって覆われる部分に、凹部３を備えている。そして、凹部３の側壁の鉤部１２に対応する位置に、ラッチ部５が設けられ、凹部３の側壁の突起部１４に対応する位置に、嵌め込み部６が設けられている。【００３９】
具体的には、凹部３の側壁の鉤部１２に対応する位置は、凹部３の鉤部１２に面する側壁４ｃにある。また、凹部３の側壁の突起部１４に対応する位置は、凹部３の突起部１４に面する側壁４ａ及び側壁４ｂにある。凹部３は、カバー部材１１の外形に合わせて形成され、凹部３の開口形状とカバー部材１１の外形状とは整合している。凹部３は、カバー部材１１が凹部３の内部に嵌まり込むように形成されている。【００４０】
また、本実施の形態では、表示画面１０が凹部３の底面７に配置されるため、凹部３は、底面７に開口部８を備えている。表示画面１０は開口部８から外部に向けて露出される。そして、カバー部材１１は、表示画面１０を外部から保護する保護カバーとして機能する。【００４１】
図４に示すように、本実施の形態では、ラッチ部５は、側壁４ｃの鉤部１２に対応する位置に設けられた穴５ａと、穴５ａの内部に設けられた凸部５ｂとを備えている。穴５ａは、鉤部１２に対応する位置において、鉤状の部分１３が挿入できるように形成されている。凸部５ｂは、それに、鉤状の部分１３（図３（ａ）参照）が引っ掛かるように形成されている。【００４２】
具体的には、鉤状の部分１３の先端が図中上方を向いているため（図３（ａ）参照）、図４に示すように、凸部５ｂは、穴５ａの内壁から図中下方に向けて（凹部３の底面７に向けて）突き出すように形成されている。また、凸部５ｂの形状は、凸部５ｂが鉤の内側に嵌まり込むように設定されている（図５参照）。【００４３】
このような構成により、カバー部材１１をスライドさせ（図１及び図３（ａ）参照）、鉤部１２をラッチ部５へと押し込めば、鉤状の部分１３と凸部５ｂとは接触し、場合によっては互いに弾性変形しながら、その後、互いに噛み合うこととなる。本実施の形態によれば、鉤状の部分１３を凸部５ｂに簡単に引っ掛けることができる。この点については、図５を用いて後述する。なお、本実施の形態では、ラッチ部５を構成する穴５ｂは、側壁４ｃを貫通する貫通穴であるが、これに限定されるものではない。穴５ｂは、側壁４ｃに設けられた止まり穴（凹部）であっても良い。【００４４】
また、図１に示すように、本実施の形態では、嵌め込み部６は、縦溝６ａと横溝６ｂとを備えている。縦溝６ａと横溝６ｂとは、側壁４ａ及び側壁４ｂそれぞれの突起部１４に対応する位置に設けられている。縦溝６ａは、凹部３の開口から凹部３の深さ方向に沿って形成されている。また、横溝６ｂは、縦溝６ａに交差するように（具体的には直交するように）、凹部３の底面７に沿って形成されている。【００４５】
更に、本実施の形態では、凹部３の深さ方向に垂直な方向における縦溝６ａの断面形状は、カバー部材１１の面方向における突起部１４の断面形状に整合している（図１参照）。また、凹部３の深さ方向における横溝６ｂの高さは、カバー部材１１の厚み方向における突起部１４の高さに整合している（図１参照）。【００４６】
よって、カバー部材１１の突起部１４と凹部３の縦溝６ａとを位置合わせした後、カバー部材１１を上から押圧し、そしてこれをスライドさせれば、突起部１４は嵌め込み部６に嵌め込まれる。また、この嵌め込みを解除する場合は、突起部１４が縦溝６ａのところに来るように、カバー部材１１をスライドさせるだけで良い。この点については、図５を用いて後述する。また、本実施の形態では、溝の代わりに、スリットや、貫通孔を用いることもできる。【００４７】
また、図１及び図４に示すように、本実施の形態では、凹部３の底面７の鉤部１２側の領域には、側壁４ｃに向かうにつれて凹部３の深さが深くなるように傾斜面７ａが形成されている。これは、カバー部材１１の鉤部１２（又は鉤部１２側の部分）が外部から押圧されたときに、鉤部１２（具体的には、鉤状の部分１３）が凹部３の底面７側へと移動できるようにするためである。本実施の形態では、鉤部１２とラッチ部５（図４参照）との接続は、鉤部１２の移動によって解除される。また、鉤状の部分１３の移動を阻害しないようにするため、ラッチ部５を構成する穴５ａは、その開口が傾斜面７ａと一致するように形成されている。【００４８】
図１、図２及び図４において、９は、医療機器１の操作ボタンを示している。本実施の形態では、操作ボタン９の側面のうちカバー部材１１に面する部分は、凹部３の側壁を構成している。また、本実施の形態では、カバー部材１１の取り付け及び取り外しを容易にするため、凹部３の側壁は、鉤部１２に対応する位置に対向している部分において、高さが他の部分の高さよりも低くなるように形成されているのが好ましい。この対向している部分は、カバー部材１６が取り付けられたときに、仮想の軸１６が通る部分（即ち、仮想の軸１６上に位置している部分）である。【００４９】
本実施の形態では、側壁４ｃに対向している側壁４ｄの高さが、他の側壁４ａ〜４ｃの高さ、及び操作ボタン９によって構成された側壁の高さよりも低く設定されている。具体的には、後述の図５（ａ）に示すように、側壁４ｄの高さｈｄは、側壁４ａ及び４ｂの高さｈａ、側壁４ｃの高さｈｃ、及び操作ボタン９による側壁の高さｈａ〜ｈｄよりも低く設定されている。【００５０】
また、本実施の形態における「側壁の高さ」は、対象となる側壁と底面７との境界を含む面と、この面に平行であり、且つ、対象となる側壁の最も高い部分（頂辺又は頂点）を含む面との距離をいう。例えば、側壁４ｃの場合は、傾斜面７ａと側壁４ｃとの境界から、側壁４ｃの上面までが高さｈｃとなる（図５（ａ）参照。）。また、側壁４ｄのように断面が三角形（又は台形）を形成する場合は、三角形（又は台形）の高さが側壁の高さｈｄとなる。【００５１】
また、図１及び図３（ｂ）に示すように、シート部材１８は、それを、カバー部材１１に対して位置決めする位置決め部１９を備えている。位置決め部１９は、カバー部材１１の一部分に引っ掛かるように形成されている。具体的には、位置決め部１９は、リング状の部分を有している。リング状の部分は、その内周の内側（開口部）に鉤状の部分１３を挿入できるように形成されており、図３（ａ）に破線で示すように、鉤状の部分１３に引っ掛かることができる。この結果、シート部材１８は、カバー部材１１に対して位置決めされる。シート部材１８は、この状態で、カバー部材１１と筐体２との間に挟みこまれる（図２参照）。【００５２】
更に、図３（ｃ）に示すように、本実施の形態においては、シート部材１８は、位置決め部１９の代わりに、位置決め部２４を備えていても良い。位置決め部２４は、Ｕ形状の部分を有し、この部分によって鉤状の部分１３に引っ掛かることができる。図３（ｃ）に示す位置決め部２４を用いた場合も、シート部材１８は、カバー部材１１に対して位置決めされる。【００５３】
また、本実施の形態では、シート部材１８は、表示画面１０を露出させるための開口部２０も備えている。更に、シート部材１８のカバー部材１１側の面には、模様２１が表示されている。本実施の形態において、模様２１の形状、色等は特に限定されるものではない。模様２１に代えて、又は模様２１に加えて、文字が表示されていても良い。【００５４】
次に、使用者による、カバー部材１１及びシート部材１８の筐体２への取り付け、及び筐体２からの取り外しについて、図５を用いて説明する。図５（ａ）〜（ｄ）は、図１〜図３に示したカバー部材及びシート部材の取り付け及び取り外しを説明する図である。図５（ａ）〜（ｃ）は一連の取り付け工程を示し、図５（ｄ）は取り外し工程を示している。また、図５（ａ）〜（ｄ）において、カバー部材１１、シート部材１８、筐体２の凹部３の側壁４ｃ及び４ｄは、断面で示している。このうち、凹部３の側壁４ｃ及び４ｄに対しては、ハッチングが施されている。【００５５】
カバー部材１１を取り付ける場合は、先ず、使用者は、図５（ａ）に示すように、シート部材１８のリング状の部分の開口部（図３（ｂ）参照）に、鉤状の部分１３を挿入し、シート部材１８をカバー部材１１に重ね合わせる。これにより、シート部材１８は、カバー部材１１に対して位置決めされる。本実施の形態では、特許文献３に示した例と異なり、予め、シート部材１８を筐体２に対して位置合わせする必要はない。【００５６】
次に、図５（ｂ）に示すように、使用者は、カバー部材１１の突起部１４が縦溝６ａの開口に一致するように、カバー部材１１の位置合わせを実行する。そして、この状態で、突起部１４が横溝６ｂの位置に達するまで、使用者は、カバー部材１１を押圧する。なお、このとき、カバー部材１１の側壁４ｄに接触している部分及びその周辺は、弾性変形するが、側壁４ｄの高さは他の側壁の高さよりも低く設定され、カバー部材１１が破断したり、取り付けが困難になったりしないようになっている。言い換えると、側壁４ｄの高さは、カバー部材１１の取り付けが困難にならないように適宜設定されている。【００５７】
続いて、図５（ｃ）に示すように、使用者は、カバー部材１１を側壁４ｃに向けてスライドさせ、突起部１４を嵌め込み部６に嵌め込む（図１参照）。このとき、鉤部１２はラッチ部５へと押し込まれ、鉤状の部分１３と凸部５ｂとが接触によって弾性変形する。そして、鉤状の部分１３と凸部５ｂとが噛み合い、鉤状の部分１３の凸部５ｂへの引っ掛けが完了する。この結果、図２に示す状態となる。【００５８】
また、カバー部材１１を取り外す場合は、図５（ｄ）に示すように、先ず、使用者は、カバー部材１１の鉤部１２を押圧すれば良い。これにより、鉤部１２が弾性変形するため、鉤状の部分１３が凹部３の底面７（傾斜面７ａ）へと移動し、鉤状の部分１３と凸部５ｂとの噛み合いが解除される。【００５９】
続いて、この状態で、使用者が、カバー部材１１を側壁４ｄへ向けてスライドさせれば、突起部１４と嵌め込み部６との嵌め合いが解除され、カバー部材１１は、ロックフリーとなり、取り外せる状態となる。なお、カバー部材１１を再利用しない場合においては、鉤部１２の塑性変形により、鉤状の部分１３が凹部３の底面７（傾斜面７ａ）側へと移動する態様であっても良い。【００６０】
以上のように、本実施の形態では、特許文献１及び２に示した側面まで覆う構造や、特許文献３に示したネジ止めする構造を採用する必要はない。また、カバー部材１１自体は嵩張らない構造となっている。よって、本実施の形態によれば、特許文献１〜３に示した例と異なり、機器の小型化の阻害は抑制される。また、本実施の形態によれば、カバー部材１１が透明であるため、デザインの異なるシート部材１８に取り替えることで、簡単に外観を変化させることもできる。更に、その際、シート部材１８は、カバー部材１１に取り付けるだけで良く、シート部材１８の位置決めは、特許文献３の例のような煩雑さを伴うものではない。【００６１】
また、本実施の形態では、取り付け構造の特徴により、カバー部材１１及びシート部材１８を筐体２に取り付けるための機構が占めるスペースは、小さくてすむ。このため、操作ボタン９を操作するための孔をカバー部材１１に設ける必要がなく、操作ボタン９を外部に露出させる構造とすることができる。この結果、カバー部材１１による操作性の悪化が抑制される。【００６２】
更に、本実施の形態では、このような構成により、図５（ａ）〜（ｄ）に示したように、カバー部材１１の取り付け及び取り外しは、工具を用いなくても、簡単に行うことができる。特に、側壁４ｄの高さｈｄ、鉤部１２の位置、及び凹部３の底面７の形状の適切な設定により、カバー部材１１の取り外しは、これを、仮想の軸１６に沿ってラッチ部５から遠ざかるようにスライドさせるだけで良い。【００６３】
但し、側壁４ｄの高さｈｄを低くすればする程、カバー部材１１の取り付け及び取り外しは、いっそう容易なものになると考えられるが、この場合は、使用者が意図しないときに、カバー部材１１が外れ易くなる。側壁４ｄは、カバー部材１１が外部の何かと接触する等して、不用意に外れてしまうのを抑制している。このことから、側壁４ｄの高さｈｄは、カバー部材１１の不必要な外れの抑制と、カバー部材１１の取り付け及び取り外しの容易化とを比較考量して決定する必要がある。【００６４】
また、本実施の形態では、底面７の側壁４ｄとの境界側にも、傾斜面７ａのような傾斜面を設けても良い。この場合は、傾斜面は、側壁４ｄに近づくほど筐体の厚みが小さくなるように形成される。また、この場合も、カバー部材１１の取り付け及び取り外しは容易なものとなる。更に、この場合は、カバー部材１１と筐体２との一体性を保つため、側壁４ｄ側の傾斜面に合わせて、カバー部材１１にも傾斜面を設けるのが好ましい。【００６５】
なお、使用者が素手でカバー部材１１を弾性変形させるだけの体力を持ち合わせていない場合もある。このような場合に対処するため、本実施の形態は、図２に示すように、カバー部材１１を取り付けたときに、鉤状の部分１３の手前側に設けられた面１７（図３（ａ）参照）と、側壁４ｃとの間に、隙間２２が形成される態様としても良い。この態様によれば、隙間２２に棒状の部材を差し込むことができるので、使用者は、体力がない場合でも、簡単にカバー部材１１を押圧できるようになる。【００６６】
本実施の形態において、カバー部材１１の形成材料は特に限定されるものではない。また、カバー部材１１は、光透過性を有しないものであっても良い。一方、カバー部材が光透過性である場合において、その透過率は限定されず、必要に応じて半透過性であっても良い。カバー部材１１の形成材料としては、形状の自由度の点から、樹脂材料が挙げられる。【００６７】
また、カバー部材１１において、突起部１４の数は限定されるものではない。例えば、一つの突起部１４のみが、鉤部１２に対向する側面（例えば、側面１５ｄ（図１参照））に設けられた態様であっても良い。この態様では、嵌め込み部６として、凹部３の側壁４ｄに、突起部１４を嵌め込み可能な貫通穴又は凹部を設ければ良い。【００６８】
本実施の形態において、シート部材１８に施される意匠は、限定されるものではない。また、本実施の形態におけるカバー構造は、上述した医療機器以外の機器、例えば、携帯電話、ＰＤＡ、電子辞書等にも適用できる。本実施の形態におけるカバー構造を適用できる機器は、特に限定されるものではない。【００６９】
また、本実施の形態において、カバー部材１１の鉤状の部分１３の形状、シート部材１８の位置決め部の形状、及び筐体２のラッチ部５の形状は、図１〜図５に示された例に限定されるものではない。ここで、他の例について図６〜図１１を用いて説明する。【００７０】
最初に、図６を用いて、ラッチ部５の形状が、図１〜図５の例と異なる例について説明する。図６は、本実施の形態における鉤状の部分及びラッチ部の他の例を示す断面図である。図６に示された断面は、図３（ａ）及び図４に示された断面に準じた切断線に沿って得られている。図６に示す例では、図１〜図５に示した例と異なり、穴５ａの内部には、凸部５ｂに加え、これと対になる凸部５ｃも設けられている。また、凸部５ｂと凸部５ｃは、両者の間に、鉤状の部分１３が位置し、そして、いずれか一方又は両方が鉤状の部分１３に引っ掛かるように形成されている。【００７１】
具体的には、図６の例では、カバー部材１１が矢印Ａの方向（側壁４ｄに向かう方向（図１参照））に移動する場合は、凸部５ｂが鉤状の部分１３に引っ掛かる。一方、カバー部材が矢印Ｂの方向（側壁４ｃに向かう方向（図１参照））に移動する場合は、凸部５ｃが鉤状の部分１３に引っ掛かる。【００７２】
このように、図６の例によれば、図１〜図５の例に比べて、鉤状の部分１３に引っ掛かる部分の面積を増やすことができる。図６の例は、カバー部材１１の取り付け強度の向上に有用である。取り外しは、図５（ｄ）に示した例と同様に、鉤部１２の押圧によって行うことができる。【００７３】
また、図６の例では、鉤状の部分１３における、挿入方向（穴５ｂに挿入する際の挿入方向）側の端部には、突起部１３ｂが設けられている。突起部１３ｂは、鉤状の部分１３における、凸部５ｂと５ｃとの間に挿入される部分（先端１３ａを含む部分）の根元付近に位置し、凸部５ｃに接触している。突起部１３ｂは、鉤状の部分１３と凸部５ｃとの引っ掛かりを補助している。【００７４】
次に、図７〜図１１を用いて、カバー部材１１の鉤部１２及びシート部材１８の位置決め部が、図１〜図５の例と異なる例について説明する。図７〜図１１は、本実施の形態におけるカバー部材の鉤部及びシート部材の位置決め部の他の例を示す図である。このうち、図７（ａ）及び図８（ａ）は鉤部を拡大して示す拡大斜視図であり、図７（ｂ）及び図８（ｂ）は位置決め部を拡大して示す拡大斜視図である。また、図９（ａ）、図１０（ａ）及び図１１（ａ）は鉤部を拡大して示す拡大斜視図、図９（ｂ）、図１０（ｂ）及び図１１（ｂ）は鉤部の側面を拡大して示す拡大側面図、図９（ｃ）、図１０（ｃ）及び図１１（ｃ）は位置決め部を拡大して示す拡大斜視図である。なお、図７（ａ）、図８（ａ）、図９（ａ）、図１０（ａ）及び図１１（ａ）では、シート部材１８は破線によって示されている。【００７５】
図７の例では、図７（ａ）に示すように、鉤部１２は、図３（ａ）に示した例と異なり、二つの鉤状の部分、即ち、鉤状の部分３１ａと鉤状の部分３１ｂとを備えている。鉤状の部分３１ａと鉤状の部分３１ｂとは、互いに平行な位置関係となるようにして、鉤部１２の先端に設けられている。また、鉤状の部分３１ａと鉤状の部分３１ｂとの間には、隙間３０が形成されている。【００７６】
また、図７の例では、図７（ｂ）に示すように、シート部材１８は、図１に示された位置決め部１９の代わりに、位置決め部２５を備えている。位置決め部２５は、Ｔ形状の部分を備えている。このＴ形状の部分には、相対する方向に突き出した二つの先端部２５ａと先端部２５ｂとが設けられている。また、Ｔ形状の部分において、先端部２５ａと先端部２５ｂとの間の部分２５ｃは、隙間３０に合わせて形成されている。【００７７】
よって、図７（ａ）に示すように、位置決め部２５を隙間３０から鉤部１２の先端へと導き、先端部２５ａを鉤状の部分３１ａに引っ掛け、先端部２５ｂを鉤状の部分３１ｂに引っ掛けると、シート部材１８はカバー部材１１に対して位置決めされる。図７の例によれば、シート部材１８の位置決めを簡単に行うことができる。【００７８】
図８の例では、図８（ａ）に示すように、鉤部１２は、鉤状の部分３１ａ及び３１ｂに加え、両者を橋掛けするブリッジ３２を備えている。ブリッジ３２は、鉤状の部分３１ａ及び３１ｂの最も筐体側（図中下側、図１参照）の部分に設けられ、ブリッジ３２の筐体側の反対側（図中上側）の面には突起３３が形成されている。【００７９】
また、図８の例においても、図８（ｂ）に示すように、シート部材１８は、図７（ｂ）に示されたシート部材と同様に位置決め部２５を備えている。但し、図８の例では、位置決め部２５は、Ｔ形状の部分に加え、シート部材１８を厚み方向に貫通する貫通孔２６も備えている。この貫通孔２６は、Ｔ形状の部分の先端部２５ａ及び２５ｂを、それぞれ鉤状の部分３１ａ及び３１ｂに引っ掛けたときに、貫通孔２６に突起３３が挿入されるように形成されている。【００８０】
このような構成により、図８の例では、突起３３と貫通孔２６とによっても位置決めが行われる。図８に示す例によれば、突起３３と貫通孔２６とが引っ掛かるため、図７の例に比べて、鉤部１２と位置決め部２５との引っ掛かり強度の向上が図られる。【００８１】
図９の例では、図９（ａ）に示すように、鉤部１２は、鉤状の部分３４を備えている。鉤状の部分３４は、図１及び図３（ａ）に示された鉤状の部分１３と同様の形状を有している。但し、図９（ｂ）に示すように、鉤状の部分３４は、筐体側（図中下側、図１参照）に、円柱状の突起３５を備えている。突起３５の根元部分の内径は、他の部分の内径よりも小さくなっている。【００８２】
また、図９の例では、図９（ｃ）に示すように、シート部材１８は、図１に示された位置決め部１９の代わりに、位置決め部２７を備えている。位置決め部２７は、シート部材１８を厚み方向に貫通する貫通孔２７ａを備えている。貫通孔２７ａは、突起３５に対応する位置に設けられ、更に、その内径は、突起３５の根元部分の内径に合わせて設定されている。位置決め部２７の幅は、鉤状の部分３４の幅に合わせて、他の部分の幅よりも狭くなっている。【００８３】
このような構成により、図９の例では、シート部材１８のカバー部材１１への位置決めは、図中下側からシート部材１８の貫通孔２７ａを突起３５に嵌め込むだけで行うことができる。図９の例によれば、シート部材１８の位置決めを、より簡単なものとすることができる。【００８４】
図１０の例では、図１０（ａ）に示すように、鉤部１２は、図７の例と同様に、鉤状の部分３１ａと鉤状の部分３１ｂとを備えている。但し、図１０の例では、図１０（ａ）及び（ｂ）に示すように、鉤状の部分３１ａ及び３１ｂは、共に、筐体側（図中下側、図１参照）の面に、円柱状の突起３６を備えている。突起３６の根元部分の内径は、突起３５と同様に、他の部分の内径よりも小さくなっている。【００８５】
また、図１０の例では、図１０（ｃ）に示すように、シート部材１８は、図１に示された位置決め部１９の代わりに、位置決め部２８を備えている。位置決め部２８は、シート部材１８を厚み方向に貫通する貫通孔２８ａ及び２８ｂを備えている。貫通孔２８ａ及び２８ｂは、それぞれ、各突起３６に対応する位置に設けられている。また、これらの内径は、突起３６の根元部分の内径に合わせて設定されている。【００８６】
よって、図１０の例では、シート部材１８のカバー部材１１への位置決めは、図中下側から、シート部材１８の貫通孔２８ａ及び２８ｂを、それぞれが対応する突起３６に嵌め込むだけで行うことができる。図１０の例においても、図９の例と同様に、図中下側からの嵌め込みだけで、位置決めが完了する。図１０の例による場合も、シート部材１８の位置決めを、より簡単なものとすることができる。【００８７】
図１１の例では、図１１（ａ）に示すように、鉤部１２は、図８の例と同様に、鉤状の部分３１ａ、鉤状の部分３１ｂ、及びブリッジ３２を備えている。但し、図１１の例では、図１１（ｂ）に示すように、ブリッジ３２の筐体側（図中下側、図１参照）の面に、突起３７を備えている。突起３７は、楕円柱状を呈し、その根元部分の短径及び長径は、他の部分の短径及び長径よりも小さくなっている。図１１の例においても、図１０の例と同様に、鉤状の部分３１ａ及び３１ｂは、共に、筐体側（図中下側）の面に、円柱状の突起３６を備えている。【００８８】
また、図１１の例においても、図１１（ｃ）に示すように、シート部材１８は、図１０（ｃ）に示されたシート部材と同様に、位置決め部２８を備えている。但し、図１１の例では、位置決め部２８は、貫通孔２８ａ及び２８ｂに加えて、シート部材１８を厚み方向に貫通する貫通孔２９も備えている。貫通孔２９は、ブリッジ３２に設けられた突起３７に対応する位置に設けられている。貫通孔２９の開口形状は、突起３７の断面形状に合わせて楕円形状となっている。また、貫通孔２９の短径及び長径は、突起３７の根元部分の短径及び長径に合わせて設定されている。【００８９】
よって、図１１の例においては、貫通孔２８ａ及び２８ｂを突起３６へ嵌め込み、更に、貫通孔２９を突起３７に嵌め込むことによって、シート部材１８は、カバー部材１１に位置決めされる。図１１の例によれば、図１０の例に比べて、鉤部１２と位置決め部２８との引っ掛かり強度の向上が図られる。また、図１１の例においても、図中下側からの嵌め込みだけで、位置決めが完了する。図１１の例による場合も、シート部材１８の位置決めを、より簡単なものとすることができる。【００９０】
図９〜１１の例において、突起の断面形状や、貫通孔の開口形状は特に限定されるものではなく、これらの形状は矩形や他の多角形であっても良い。また、突起の根元部分の小径化の代わりに、根元部分に溝を設けた態様としても良い。このような態様であっても、貫通孔の内周と突起との引っ掛かりを高めることが可能であるからである。
【産業上の利用可能性】
【００９１】
以上のように、本発明は、医療機器、特に携帯可能な小型の医療機器、更には、携帯電話、ＰＤＡ、電子辞書等にも有効である。本発明のカバー構造及び医療機器は、産業上の利用可能性を有している。
【図１】
2009125538.tif 000003
【図２】
2009125538.tif 000004
【図３】
2009125538.tif 000005
【図４】
2009125538.tif 000006
【図５】
2009125538.tif 000007
【図６】
2009125538.tif 000008
【図７】
2009125538.tif 000009
【図８】
2009125538.tif 000010
【図９】
2009125538.tif 000011
【図１０】
2009125538.tif 000012
【図１１】
2009125538.tif 000013
【手続補正書】
【提出日】平成22年12月6日(2010.12.6)
【手続補正１】
【補正対象書類名】特許請求の範囲
【補正対象項目名】全文
【補正方法】変更
【補正の内容】
【特許請求の範囲】
【請求項１】
生体の状態を測定するための医療機器であって、
ラッチ部を有する筐体と、
前記ラッチ部に引っ掛かる鍵部を有し、且つ、前記筐体の一方向側の部分を覆う、カバー部材と、を備え、
前記筐体及び前記カバー部材のうち、一方は、突起部を備え、他方は、前記突起部を嵌め込み可能な嵌め込み部を備えている、ことを特徴とする医療機器。
【請求項２】
前記筐体が、前記カバー部材によって覆われる部分に、前記カバー部材の外形に合わせて形成された凹部を備え、
前記ラッチ部が、前記凹部の側壁の前記鉤部に対応する位置に設けられ、
前記嵌め込み部が、前記側壁の前記突起部に対応する位置に設けられている、請求項１に記載の医療機器。
【請求項３】
前記鉤部は、前記カバー部材を前記筐体に配置したときに、前記鉤状の部分の先端が筐体側の反対側を向くように形成され、
前記凹部は、前記カバー部材の前記鉤部が押圧されたときに、前記鉤部の前記凹部の底面側への移動を許容するように、形成されている、請求項２に記載の医療機器。
【請求項４】
前記ラッチ部が、前記凹部の側壁の前記鉤部に対応する位置に配置された穴と、前記穴の内部に設けられた凸部とを備え、
前記穴は、前記鉤状の部分を挿入可能に形成され、
前記凸部は、前記鉤状の部分に対して引っ掛かり可能に形成されている、
請求項２または３に記載の医療機器。
【請求項５】
前記ラッチ部が、前記凹部の側壁の前記鉤部に対応する位置に配置された穴と、前記穴の内部に設けられた一対の凸部とを備え、
前記穴は、前記鉤状の部分を挿入可能に形成され、
前記一対の凸部は、これらの間に前記鉤状の部分が位置し、いずれか一方又は両方が前記鉤状の部分に引っ掛かるように形成されている、
請求項２または３に記載の医療機器。
【請求項６】
前記嵌め込み部が、前記側壁の前記突起部に対応する位置に、第１の溝と第２の溝とを備え、
前記第１の溝は、前記凹部の開口から前記凹部の深さ方向に沿って形成され、
前記第２の溝は、前記第１の溝に交差するように形成されている、
請求項２〜５のいずれかに記載の医療機器。
【請求項７】
前記筐体と前記カバー部材との間に挟みこまれるシート部材を更に備え、
前記シート部材は、それを、前記カバー部材に対して位置決めする位置決め部を備えている、請求項１〜６のいずれかに記載の医療機器。
【請求項８】
ラッチ部を有する基体と、
前記ラッチ部に引っ掛かる鍵部を有し、且つ、前記基体の一方向側の部分を覆う、カバー部材と、を備え、
前記基体及び前記カバー部材のうち、一方は、突起部を備え、他方は、前記突起部を嵌め込み可能な嵌め込み部を備えている、ことを特徴とするカバー構造。
【請求項９】
前記基体が、前記カバー部材によって覆われる部分に、前記カバー部材の外形に合わせて形成された凹部を備え、
前記ラッチ部が、前記凹部の側壁の前記鉤部に対応する位置に設けられ、
前記嵌め込み部が、前記側壁の前記突起部に対応する位置に設けられている、請求項８に記載のカバー構造。
【請求項１０】
前記鉤部は、前記カバー部材を前記基体に配置したときに、前記鉤状の部分の先端が基体側の反対側を向くように形成され、
前記凹部は、前記カバー部材の前記鉤部が押圧されたときに、前記鉤部の前記凹部の底面側への移動を許容するように、形成されている、請求項９に記載のカバー構造。
【請求項１１】
前記ラッチ部が、前記凹部の側壁の前記鉤部に対応する位置に配置された穴と、前記穴の内部に設けられた凸部とを備え、
前記穴は、前記鉤状の部分を挿入可能に形成され、
前記凸部は、前記鉤状の部分に対して引っ掛かり可能に形成されている、
請求項９または１０に記載のカバー構造。
【請求項１２】
前記ラッチ部が、前記凹部の側壁の前記鉤部に対応する位置に配置された穴と、前記穴の内部に設けられた一対の凸部とを備え、
前記穴は、前記鉤状の部分を挿入可能に形成され、
前記一対の凸部は、これらの間に前記鉤状の部分が位置し、いずれか一方又は両方が前記鉤状の部分に引っ掛かるように形成されている、
請求項９または１０に記載のカバー構造。
【請求項１３】
前記嵌め込み部が、前記側壁の前記突起部に対応する位置に、第１の溝と第２の溝とを備え、
前記第１の溝は、前記凹部の開口から前記凹部の深さ方向に沿って形成され、
前記第２の溝は、前記第１の溝に交差するように形成されている、
請求項９〜１２のいずれかに記載のカバー構造。
【請求項１４】
前記基体と前記カバー部材との間に挟みこまれるシート部材を更に備え、
前記シート部材は、それを、前記カバー部材に対して位置決めする位置決め部を備えている、請求項９〜１３のいずれかに記載のカバー構造。
【国際調査報告】
2009125538.tif 000014
2009125538.tif 000015
2009125538.tif 000016
2009125538.tif 000017
2009125538.tif 000018
2009125538.tif 000019